(57)【要約】【課題】  バッテリ収納ケースを備える電子機器において、落下時にケース蓋に衝撃が加わるのを防止すると同時に、バッテリ収納ケースの小型化及び低コスト化を実現することができる電子機器を提供する。【解決手段】  バッテリ２２をバッテリ収納部３０に挿入する場合には、ロック部材４２の傾斜面５０ａがバッテリ２２のバッテリ凸部２２ａによって押圧される。すると、ロック部材４２がバネ６０の付勢力に抗して矢印Ａ１２の向きにスライドする。そして、バッテリ２２がバッテリ収納部３０に完全に挿入され、バッテリ凸部２２ａが凹部３６に収納されると、バネ６０の付勢力によりロック部材本体４６が符号４６の位置に戻る。バッテリ収納部３０の底面には、不図示のバネが設けられており、バッテリ２２はケース蓋２８側に付勢される。これにより、バッテリ２２のバッテリ凸部２２ａがロック部材本体４６によって支持され、ロックされる。【選択図】      図６
2009134888.tif 000002
【特許請求の範囲】
【請求項１】
バッテリ収納ケースと、
前記バッテリ収納ケースを開閉するケース蓋と、
前記バッテリ収納ケースに所定の挿入方向で収納されるバッテリであって、該バッテリの側面に、前記バッテリ収納ケースに挿入するときの挿入方向に対して略垂直に形成されており、前記バッテリ収納ケースに収納されたときに該バッテリ収納ケースの開口からのぞく前記バッテリの端面よりも内側に離れて形成された凸部を有するバッテリと、
前記ケース蓋の内側面と、前記バッテリ収納ケースに収納されたときに前記ケース蓋の内側面に対向する前記凸部の端面との間のスペースに配置される部材であって、前記バッテリ収納ケースに収納されたバッテリの凸部に係合するバッテリ抜け止め防止位置と、前記バッテリ収納ケースに収納されたバッテリの凸部に係合しないバッテリ挿抜可能位置との間でスライド移動可能に配置されるロック部材と、
を備えることを特徴とする電子機器。
【請求項２】
前記バッテリ抜け止め防止位置に前記ロック部材を付勢する付勢手段を更に備えることを特徴とする請求項１記載の電子機器。
【請求項３】
前記付勢手段は、線バネ又は板バネであることを特徴とする請求項２記載の電子機器。
【請求項４】
前記バッテリ収納ケースの開口面に略平行に形成され、切欠き部が形成されたロック部材取付面を更に備え、
前記ロック部材は、前記切欠き部にスライド可能に取り付けられており、
前記付勢手段は、バネであることを特徴とする請求項２記載の電子機器。
【請求項５】
前記バッテリ収納ケースの開口面に略平行に形成され、前記ロック部材を取り付けるためのロック部材取付開口が形成されたロック部材取付面と、
前記ロック部材を前記ロック部材取付開口に固定するための固定部材とを更に備え、
前記ロック部材及び前記固定部材は、前記ロック部材取付開口を挟んで互いに固定されており、
前記付勢手段は、前記ロック部材に固定された固定部材を付勢するバネであることを特徴とする請求項２記載の電子機器。
【請求項６】
前記ロック部材は、板金により作成されることを特徴とする請求項５記載の電子機器。
【請求項７】
前記固定部材は、板金により作成されることを特徴とする請求項５又は６記載の電子機器。
【請求項８】
前記付勢手段は、板バネであり、
前記ロック部材は、前記板バネの端部を屈曲させて形成されることを特徴とする請求項２記載の電子機器。
【請求項９】
前記ロック部材は、前記バッテリ収納ケースの側面に、シャフトを介してスライド可能に取り付けられていることを特徴とする請求項２記載の電子機器。
【請求項１０】
前記付勢手段は、板バネ又は捩じりバネであることを特徴とする請求項９記載の電子機器。
【請求項１１】
前記ロック部材のスライド位置の位置決めのためのクリック機構を更に備えることを特徴とする請求項１記載の電子機器。
【発明の詳細な説明】
【技術分野】
【０００１】
本発明は電子機器に係り、特にバッテリを収納するためのバッテリ収納ケースを備えた電子機器に関する。
【背景技術】
【０００２】
特許文献１には、バッテリ装着部と蓋の間に、バッテリ装着部から脱落しないようにバッテリを押さえるバッテリロック部材を備えた電子機器が開示されている。
【０００３】
特許文献２には、バッテリパック及びバッテリコネクタがバッテリガイドにガイドされてスライド移動するバッテリパック収容構造体が開示されている。
【０００４】
特許文献３には、電池収納部と蓋部材の間に、電池の後端部に係合するロック爪を設けた電子機器が開示されている。
【０００５】
特許文献４には、バッテリに凹部を設けて、この凹部にロックツマミを係合させるバッテリ着脱機構が開示されている。
【特許文献１】特開平９−２２５８５号公報
【特許文献２】特開２０００−２６８７９２号公報
【特許文献３】特開２００４−１４３０８号公報
【特許文献４】特許第３６７５０８８号公報
【発明の開示】
【発明が解決しようとする課題】
【０００６】
バッテリを取り出し可能なバッテリ収納ケースを備える電子機器には、バッテリをロックするもの（特許文献１、３及び４）とバッテリをロックしないもの（特許文献２）がある。
【０００７】
特許文献１及び３では、バッテリをロックするためのロック部材をバッテリと蓋との間に設ける必要があるため、バッテリ収納ケースのサイズ（特にバッテリの挿入方向のサイズ）が大きくなる。
【０００８】
特許文献２では、ロック部材を設けるためのスペースを必要としないが、バッテリがケース蓋によって支持されるため、例えば、電子機器を落としたときにケース蓋にバッテリがぶつかってケース蓋が破損しやすい。
【０００９】
特許文献４では、バッテリに凹部が形成されているため、バッテリのサイズが小さくなり、バッテリ容量が小さくなる。更に、特許文献４では、蓋部材の構造が複雑になるため、蓋が厚くなる上に製作コストが高くなる。
【００１０】
本発明はこのような事情に鑑みてなされたもので、バッテリ収納ケースを備える電子機器において、落下時にケース蓋に衝撃が加わるのを防止すると同時に、バッテリ収納ケースの小型化及び低コスト化を実現することができる電子機器を提供することを目的とする。
【課題を解決するための手段】
【００１１】
上記課題を解決するために、本発明の第１の態様に係る電子機器は、バッテリ収納ケースと、前記バッテリ収納ケースを開閉するケース蓋と、前記バッテリ収納ケースに所定の挿入方向で収納されるバッテリであって、該バッテリの側面に、前記バッテリ収納ケースに挿入するときの挿入方向に対して略垂直に形成されており、前記バッテリ収納ケースに収納されたときに該バッテリ収納ケースの開口からのぞく前記バッテリの端面よりも内側に離れて形成された凸部を有するバッテリと、前記ケース蓋の内側面と、前記バッテリ収納ケースに収納されたときに前記ケース蓋の内側面に対向する前記凸部の端面との間のスペースに配置される部材であって、前記バッテリ収納ケースに収納されたバッテリの凸部に係合するバッテリ抜け止め防止位置と、前記バッテリ収納ケースに収納されたバッテリの凸部に係合しないバッテリ挿抜可能位置との間でスライド移動可能に配置されるロック部材とを備えることを特徴とする。
【００１２】
従来のバッテリ収納ケースでは、バッテリの挿入方向の長さをＢ、ケース蓋の内側面とロック部材との間のクリアランス（間隙）をａ、ケース蓋の厚さをｔとすると、バッテリの挿入方向に（Ｂ＋Ｌ＋ａ＋ｔ）の高さが必要であった。これに対して、上記第１の態様によれば、バッテリ端面よりｂ内側に凸部を形成して、この凸部をロックするようにしたので、バッテリの挿入方向に必要な高さは（Ｂ−ｂ＋Ｌ＋ａ＋ｔ）となり、バッテリ収納ケースの挿入方向の寸法をｂだけ小型化することができる。
【００１３】
本発明の第２の態様に係る電子機器は、上記第１の態様において、前記バッテリ抜け止め防止位置に前記ロック部材を付勢する付勢手段を更に備えることを特徴とする。
【００１４】
本発明の第３の態様に係る電子機器は、上記第２の態様において、前記付勢手段は、線バネ又は板バネであることを特徴とする。
【００１５】
本発明の第４の態様に係る電子機器は、上記第２の態様において、前記バッテリ収納ケースの開口面に略平行に形成され、切欠き部が形成されたロック部材取付面を更に備え、前記ロック部材は、前記切欠き部にスライド可能に取り付けられており、前記付勢手段は、バネであることを特徴とする。
【００１６】
上記第４の態様によれば、切欠き部にロック部材を組み込む構成とすることにより、組立工数を削減し、電子機器のコストダウンを図ることができる。
【００１７】
本発明の第５の態様に係る電子機器は、上記第２の態様において、前記バッテリ収納ケースの開口面に略平行に形成され、前記ロック部材を取り付けるためのロック部材取付開口が形成されたロック部材取付面と、前記ロック部材を前記ロック部材取付開口に固定するための固定部材とを更に備え、前記ロック部材及び前記固定部材は、前記ロック部材取付開口を挟んで互いに固定されており、前記付勢手段は、前記ロック部材に固定された固定部材を付勢するバネであることを特徴とする。
【００１８】
上記第５の態様によれば、ロック部材取付面に切欠き部に代えてロック部材取付開口を形成するだけでよいので、ケース本体を作成するときに使用する金型の構造を簡易化することができ、当該金型の作成コストを安く抑えることができる。
【００１９】
本発明の第６の態様に係る電子機器は、上記第５の態様において、前記ロック部材は、板金により作成されることを特徴とする。
【００２０】
上記第６の態様によれば、ロック部材を板金で作成することにより薄型化することができる。
【００２１】
本発明の第７の態様に係る電子機器は、上記第５又は第６の態様において、前記固定部材は、板金により作成されることを特徴とする。
【００２２】
本発明の第８の態様に係る電子機器は、上記第２の態様において、前記付勢手段は、板バネであり、前記ロック部材は、前記板バネの端部を屈曲させて形成されることを特徴とする。
【００２３】
上記第８の態様によれば、付勢手段とロック部材とを１つの板バネにすることにより、部品点数を削減し、電子機器の作成コストを安く抑えることができる。
【００２４】
本発明の第９の態様に係る電子機器は、上記第２の態様において、前記ロック部材は、前記バッテリ収納ケースの側面に、シャフトを介してスライド可能に取り付けられていることを特徴とする。
【００２５】
上記第９の態様によれば、シャフトを用いてロック部材を固定することにより、ロック部材の脱落を防止するとともに、位置決め精度を上げることができる。
【００２６】
本発明の第１０の態様に係る電子機器は、上記第９の態様において、前記付勢手段は、板バネ又は捩じりバネであることを特徴とする。
【００２７】
本発明の第１１の態様に係る電子機器は、上記第１の態様において、前記ロック部材のスライド位置の位置決めのためのクリック機構を更に備えることを特徴とする。
【００２８】
上記第１１の態様によれば、クリック機構を用いてロック部材のスライド動作を規制することにより、ロック部材に誤って触れてしまうことによる誤動作を防止することができる。
【発明の効果】
【００２９】
本発明によれば、バッテリ端面より内側に凸部を形成して、この凸部をロックするようにしたので、バッテリ端面と凸部との距離分だけ、バッテリ収納ケースの挿入方向の寸法を小型化することができる。
【発明を実施するための最良の形態】
【００３０】
以下、添付図面に従って本発明に係る電子機器の好ましい実施の形態について説明する。
【００３１】
［第１の実施形態］
図１は、本発明の第１の実施形態に係る収納ケースを備えた撮像装置の外観を示す斜視図である。
【００３２】
撮像装置１０は、撮像した画像を電子的に保存する電子カメラである。図１に示すように、撮像装置１０の筐体の前面には撮像レンズを保持するレンズ鏡筒１２が設けられている。また、撮像装置１０の筐体の上面にはシャッタボタン１４及びストラップ取付部１６が設けられており、下面には三脚取付穴１８が設けられている。
【００３３】
撮像装置１０のグリップ部２０の内部には、専用のバッテリ（例えば、２次電池又は乾電池）２２を収納するバッテリ収納ケース２４が形成されている。撮像装置１０の筐体の下面には、バッテリ収納ケース２４のケース蓋２８が配置されている。
【００３４】
図２は、本発明の第１の実施形態に係るバッテリの外観を示す斜視図であり、図３は、バッテリの平面図である。
【００３５】
図２及び図３に示すように、バッテリ２２の形状は直方体である。バッテリ２２の側面には、バッテリ２２をバッテリ収納ケース２４に挿入するときの挿入方向Ａ１０に対して略垂直方向に直方体形状のバッテリ凸部２２ａが形成されている。なお、バッテリ凸部２２ａの形状は、図２及び図３の例に限定されるものではない。
【００３６】
図４は、本実施形態に係るケース本体２６の外観を示す斜視図であり、図５は、ケース本体２６にバッテリを収納した状態を示す斜視図である。図６は、本実施形態に係るバッテリ収納ケース２４の断面図である。
【００３７】
図４に示すように、ケース本体２６は、例えば、樹脂製の箱状部材であり、バッテリ２２を収納するためのバッテリ収納部３０、及び回動軸３２を取り付けるための軸受部３４を備えている。ケース蓋２８は、回動軸３２を介してケース本体２６に回動自在に取り付けられる。
【００３８】
バッテリ収納部３０のバッテリ２２のバッテリ凸部２２ａが収納される箇所には、凹部３６が形成されている。なお、図４から図６では、ケース本体２６側面の凹部３６に対応する部分３６ａは外側に突出しているが、例えば、ケース本体２６の厚さを薄くすることにより、突出しないようにすることも可能である。
【００３９】
図４に示すように、ケース本体２６の図中右側には、ロック部材取付面４０が形成されている。ロック部材取付面４０は、バッテリ収納部３０の開口面に沿って延びた板状部である。図４に示すように、ロック部材取付面４０には切欠き部４０ａが形成されている。図５に示すように、切欠き部４０ａには、ロック部材４２とストッパ４４が順に組み込まれる。
【００４０】
ロック部材４２は、バッテリ２２のバッテリ凸部２２ａをロックするための部材であり、矢印Ａ１２の方向にスライド可能に取り付けられる。ロック部材４２は、例えば、樹脂製の部材であり、金型を用いて作成される。
【００４１】
ストッパ４４は、ロック部材４２が切欠き部４０ａから脱落するのを防止するための部材であり、例えば、ネジ止め又は接着により切欠き部４０ａに固定される。なお、切欠き部４０ａ及びストッパ４４の互いに当接する面に凸部及びクリック溝を形成して、ストッパ４４を固定することも可能である。ストッパ４４は、例えば、樹脂製の板状部材であり、金型を用いて作成される。
【００４２】
図５及び図６に示すように、ロック部材４２のロック部材本体４６の図中下面には、ユーザがロック部材４２をスライド操作する時に指をかけるための指かけ部４８、及び傾斜面５０ａを有する押圧部５０が形成されている。
【００４３】
図６（ａ）に示すように、ロック部材本体４６の図中上面４６ａには、柱状部５２が形成されている。柱状部５２は、ロック部材本体４６の面４６ａに略垂直に延びている。ロック部材４２のスライド可能な範囲は、柱状部５２の位置及び寸法により規制される。
【００４４】
柱状部５２の上端には、ロック部材４２のスライド方向Ａ１２に対して略平行に延びる平面部５４が形成されている。ロック部材本体４６と平面部５４との間には、ストッパ進入スペース５６が形成される。ロック部材４２と平面部５４との間隔は、ストッパ４４の厚さよりもわずかに広くなっている。ロック部材本体４６及び平面部５４の寸法は、切欠き部４０ａとストッパ４４により形成される開口部４６ａ（図５参照）の寸法よりも大きくなっており、ロック部材４２をスライドさせたときにロック部材４２がケース本体２６から脱落しないようになっている。
【００４５】
図６（ａ）及び図６（ｂ）に示すように、平面部５４の上部には、バネ（線バネ、引っ張りバネ）６０の一端を固定するためのバネ固定部（バネ固定板）５８が形成されている。バネ６０のもう一方の端部は、ケース本体２６の側面に形成された突起部６２に、例えば、ネジ止めにより固定される。ロック部材４２は、バネ６０によって突起部６２側に付勢され、ロック部材本体４６によってバッテリ収納部３０の凹部３６の開口面が覆われる。
【００４６】
なお、引っ張りバネの代わりに、バネ固定部５８の図中左側に圧縮バネを設けるようにしてもよい。
【００４７】
バッテリ２２をバッテリ収納部３０に挿入する場合には、ロック部材４２の傾斜面５０ａがバッテリ２２のバッテリ凸部２２ａによって押圧される。すると、ロック部材４２がバネ６０の付勢力に抗して矢印Ａ１２の向きにスライドし、ロック部材本体４６が符号４６のバッテリ抜け止め防止位置から符号４６´のバッテリ挿抜可能位置に移動する。そして、バッテリ２２がバッテリ収納部３０に完全に挿入され、バッテリ凸部２２ａが凹部３６に収納されると、バネ６０の付勢力によりロック部材本体４６が符号４６のバッテリ抜け止め防止位置に戻る。バッテリ収納部３０の底面には、不図示のバネが設けられており、バッテリ２２はケース蓋２８側に付勢される。これにより、バッテリ２２のバッテリ凸部２２ａがロック部材本体４６によって支持され、ロックされる。
【００４８】
バッテリ収納部３０からバッテリ２２を取り出す場合には、ロック部材４２の指かけ部４８を指先で矢印Ａ１２の方向にスライドさせて、バッテリ２２のロックを解除することでバッテリ２２が取り出し可能になる。
【００４９】
バッテリ２２の下端部からバッテリ凸部２２ａの下端部までの距離をｂ、ロック部材本体４６の厚さをＬ、ケース本体２６のロック部材取付面４０からケース蓋２８の内側の面２８ａ間の距離をｃとすると、ｃ＞ｂかつｃ＞Ｌであり、ケース蓋２８にバッテリ２２の図中下面２２ｂが接触しないように（負荷がかからないように）なっている。
【００５０】
従来のバッテリ収納ケースでは、バッテリ２２の挿入方向の長さをＢ、ケース蓋２８の内側の面２８ａとロック部材４２との間のクリアランス（間隙）をａ、ケース蓋２８の厚さをｔとすると、バッテリ２２の挿入方向に（Ｂ＋Ｌ＋ａ＋ｔ）の高さが必要であった。
【００５１】
これに対して、本実施形態によれば、バッテリ２２にバッテリ凸部２２ａを設けて、このバッテリ凸部２２ａをロックするようにしたので、バッテリ２２の挿入方向に必要な高さは（Ｂ−ｂ＋Ｌ＋ａ＋ｔ）となり、バッテリ収納ケース２４の挿入方向の寸法をｂだけ小型化することができる。
【００５２】
また、バッテリ２２の図中下面２２ｂにロック部材を当接させた場合、当接部分に製品情報等を印刷すると、ロック部材との接触により印刷が剥げるおそれがあるが、本実施形態によれば、バッテリ２２の図中下面２２ｂの全面に印刷を行うことができる。
【００５３】
［第２の実施形態］
次に、本発明の第２の実施形態について説明する。なお、本実施形態に係るバッテリ収納ケース２４を備えた撮像装置１０（図１参照）及びバッテリ２２（図２参照）の構成については、上記第１の実施形態と同様であるため説明を省略する。
【００５４】
図７は、本実施形態に係るケース本体２６の外観を示す斜視図であり、図８は、本実施形態に係るバッテリ収納ケース２４にバッテリ２２を収納した状態を示す斜視図である。図９は、本実施形態に係るバッテリ収納ケース２４の断面図である。
【００５５】
図７に示すように、ケース本体２６は、例えば、樹脂製の箱状部材であり、バッテリ２２を収納するためのバッテリ収納部３０、及び回動軸３２を取り付けるための軸受部３４を備えている。ケース蓋２８は、回動軸３２を介してケース本体２６に回動自在に取り付けられる。
【００５６】
バッテリ収納部３０のバッテリ２２のバッテリ凸部２２ａに対応する箇所には、凹部３６が形成されている。なお、図７から図９では、ケース本体２６側面の凹部３６に対応する部分３６ａは外側に突出しているが、例えば、ケース本体２６の厚さを薄くすることにより、突出しないようにすることも可能である。
【００５７】
図７に示すように、ケース本体２６の図中右側には、ロック部材取付面４０が形成されている。ロック部材取付面４０は、バッテリ収納部３０の開口面に沿って延びた板状部である。図７に示すように、ロック部材取付面４０にはロック部材取付開口７０が形成されている。図８に示すように、ロック部材取付開口７０にはロック部材７２が取り付けられる。
【００５８】
ロック部材７２は、バッテリ２２のバッテリ凸部２２ａをロックするための部材であり、ロック部材本体７４と板部材７６を含んでいる。ロック部材７２は、図９の矢印Ａ２０の方向にスライド可能になっている。ロック部材７２は、ロック部材本体７４は、例えば、樹脂製の部材であり、金型を用いて作成される。板部材７６は、例えば、板金を成形、屈曲させることにより作成される。
【００５９】
図８及び図９に示すように、ロック部材本体７４の図中下面には、ユーザがロック部材７２をスライド操作する時に指をかけるための指かけ部７８、及び傾斜面８０ａを有する押圧部８０が形成されている。
【００６０】
図９（ａ）に示すように、ロック部材本体７４の図中上面７４ａには、板部材取付部８２が形成されている。板部材取付部８２は、ロック部材本体７４の面７４ａに略垂直に延びている。ロック部材７２のスライド可能な範囲は、板部材取付部８２の位置及び寸法により規制される。
【００６１】
板部材取付部８２の上面には、例えば、ネジ止めにより板部材７６が固定される。ロック部材本体７４と板部材７６との間のスペース８４は、ロック部材取付面４０の厚さよりもわずかに広くなっている。ロック部材本体７４及び板部材７６の寸法は、ロック部材取付開口７０（図７参照）の寸法よりも大きくなっており、ロック部材７２をスライドさせたときにロック部材７２がケース本体２６から脱落しないようになっている。
【００６２】
図９（ａ）及び図９（ｂ）に示すように、板部材７６の上部は屈曲しており、バネ（引っ張りバネ）８８の一端を固定するためのバネ固定部（バネ固定板）８６を構成している。バネ８８のもう一方の端部は、ケース本体２６の側面に形成された突起部９０に、例えば、ネジ止めにより固定される。ロック部材７２は、バネ８８によって突起部９０側に付勢され、バッテリ収納部３０の凹部３６の開口面を覆う。
【００６３】
なお、引っ張りバネの代わりに、バネ固定部８６の図中左側に圧縮バネを設けるようにしてもよい。
【００６４】
バッテリ２２をバッテリ収納部３０に挿入する場合には、ロック部材７２の傾斜面８０ａがバッテリ２２のバッテリ凸部２２ａによって押圧される。すると、ロック部材７２がバネ８８の付勢力に抗して矢印Ａ２０の向きにスライドし、ロック部材本体７４が符号７４のバッテリ抜け止め防止位置から符号７４´のバッテリ挿抜可能位置に移動する。そして、バッテリ２２がバッテリ収納部３０に完全に挿入され、バッテリ凸部２２ａが凹部３６に収納されると、バネ８８の付勢力によりロック部材本体７４が符号７４のバッテリ抜け止め防止位置に戻る。これにより、バッテリ２２のバッテリ凸部２２ａがロック部材本体７４によって支持される。
【００６５】
バッテリ収納部３０からバッテリ２２を取り出す場合には、ロック部材７２の指かけ部７８を指先で矢印Ａ２０の方向にスライドさせて、バッテリ２２のロックを解除することでバッテリ２２が取り出し可能になる。
【００６６】
バッテリ２２の下端部からバッテリ凸部２２ａの下端部までの距離をｂ、ロック部材本体７４の板部材取付部８２を除く部分の厚さをＬ、ケース本体２６のロック部材取付面４０からケース蓋２８の内側の面２８ａ間の距離をｃとすると、ｃ＞ｂかつｃ＞Ｌであり、ケース蓋２８にバッテリ２２の図中下面２２ｂが接触しないように（負荷がかからないように）なっている。
【００６７】
本実施形態によれば、上記第１の実施形態と同様に、バッテリ２２の挿入方向の寸法をバッテリ２２の下端部からバッテリ凸部２２ａまでの距離をｂだけ小型化することができる。更に、本実施形態によれば、ロック部材を２ピース化することにより、ケース本体２６のロック部材取付面４０に切欠き部に代えてロック部材取付開口７０を形成するだけでよいので、ケース本体２６を作成するときに使用する金型の構造を簡易化することができ、当該金型の作成コストを安く抑えることができる。
【００６８】
［第３の実施形態］
次に、本発明の第３の実施形態について説明する。なお、本実施形態に係るバッテリ収納ケース２４を備えた撮像装置１０の構成、バッテリ２２及びケース本体２６の形状については、上記第２の実施形態と同様であるため説明を省略する。
【００６９】
図１０は、本実施形態に係るバッテリ収納ケース２４にバッテリ２２を収納した状態を示す斜視図である。図１１は、本実施形態に係るバッテリ収納ケース２４の断面図である。
【００７０】
図１０及び図１１に示すように、本実施形態のロック部材７２´は、ロック部材本体７４´及び板部材７６を含んでおり、ロック部材本体７４´は、板金を成形、屈曲させることにより作成される。
【００７１】
図１１（ａ）に示すように、ロック部材本体７４´の図中下面には、ユーザがロック部材７２´をスライド操作する時に指をかけるための指かけ部７８´、及び傾斜面８０ａ´を有する押圧部８０´が形成されている。ロック部材本体７４´の図中上面には、板部材取付部８２´が形成されている。板部材取付部８２´には、例えば、ネジ止めにより板部材７６が固定される。なお、板部材７６については、上記第２の実施形態と同様である。
【００７２】
本実施形態によれば、ロック部材本体７４´を板金で作成することにより、樹脂で形成する場合よりもコストを下げることができるとともに、薄型化することができる。例えば、ロック部材本体を樹脂で作成した場合、ロック部材本体の厚さＬは約２ｍｍ必要になるが、板金で作成した場合には約０．５ｍｍまで薄くすることが可能になる。これにより、バッテリ収納ケース２４の更なる小型化を図ることができる。
【００７３】
［第４の実施形態］
次に、本発明の第４の実施形態について説明する。なお、本実施形態に係るバッテリ収納ケース２４を備えた撮像装置１０の構成、バッテリ２２及びケース本体２６の形状については、上記第２の実施形態と同様であるため説明を省略する。
【００７４】
図１２及び図１３は、本実施形態に係るバッテリ収納ケース２４にバッテリ２２を収納した状態を示す斜視図である。図１４は、本実施形態に係るロック部材を拡大して示す斜視図である。図１５は、本実施形態に係るバッテリ収納ケース２４の断面図である。
【００７５】
図１２に示すように、ケース本体２６の図中右側には、ロック部材取付面４０が形成されており、ロック部材取付面４０にはロック部材取付開口７０が形成されている。ロック部材取付開口７０には、ロック部材１００が挿入される。
【００７６】
ロック部材１００は、バッテリ２２のバッテリ凸部２２ａをロックするための部材である。ロック部材１００は、例えば、樹脂製の部材であり、金型を用いて作成される。
【００７７】
図１４に示すように、ロック部材１００は、上部に固定された板バネ１０２を介してケース本体２６側面に形成された板バネ取付部１０４に固定されている。図１５（ｂ）に示すように、ロック部材１００は、バッテリ収納部３０の凹部３６の開口面を覆っており、矢印Ａ３０の方向にスライド可能になっている。
【００７８】
ロック部材１００の図中下面には、ユーザがロック部材１００をスライド操作する時に指をかけるための指かけ部１０６が形成されている。
【００７９】
バッテリ２２をバッテリ収納部３０に挿入する場合、及びバッテリ収納部３０からバッテリ２２を取り出す場合には、指かけ部１０６に指先をかけて矢印Ａ３０の方向にスライドさせて、ロック部材を符号１００のバッテリ抜け止め防止位置から符号１００´のバッテリ挿抜可能位置に移動させ、凹部３６を露呈させる。これにより、バッテリ２２の挿入及び取り出しが可能になる。
【００８０】
バッテリ２２の下端部からバッテリ凸部２２ａの下端部までの距離をｂ、ロック部材１００のバッテリ２２のバッテリ凸部２２ａと当接する部分の厚さをＬ、ケース本体２６のロック部材取付面４０からケース蓋２８の内側の面２８ａ間の距離をｃとすると、ｃ＞ｂかつｃ＞Ｌであり、ケース蓋２８にバッテリ２２の図中下面２２ｂが接触しないように（負荷がかからないように）なっている。
【００８１】
本実施形態によれば、上記第１の実施形態と同様に、バッテリ２２の挿入方向の寸法をバッテリ２２の下端部からバッテリ凸部２２ａまでの距離をｂだけ小型化することができる。更に、本実施形態によれば、ロック部材を２ピース化することにより、ケース本体２６のロック部材取付面４０に切欠き部に代えてロック部材取付開口７０を形成するだけでよいので、ケース本体２６を作成するときに使用する金型の構造を簡易化することができ、金型の作成コストを安く抑えることができる。
【００８２】
［第５の実施形態］
次に、本発明の第５の実施形態について説明する。なお、本実施形態に係るバッテリ収納ケース２４を備えた撮像装置１０の構成、バッテリ２２及びケース本体２６の形状については、上記第４の実施形態と同様であるため説明を省略する。
【００８３】
図１６は、本実施形態に係るバッテリ収納ケース２４にバッテリ２２を収納した状態を示す斜視図である。図１７は、本実施形態に係るロック部材を拡大して示す斜視図である。図１８は、本実施形態に係るバッテリ収納ケース２４の断面図である。
【００８４】
図１６に示すように、本実施形態のロック部材１１０は、板金を成形、屈曲させることにより作成される。図１７に示すように、ロック部材１１０の上部（板バネ部）１１２は、板バネとして機能する。
【００８５】
ロック部材１１０の下部は、板バネ部１１２に対して略垂直に屈曲しており支持部１１４を形成している。図１８（ｂ）に示すように、ロック部１１４は、バッテリ収納部３０の凹部３６の開口面を覆っており、バッテリ２２が収納されたときにバッテリ凸部２２ａをロックする。ロック部１１４の一部は、ロック部１１４に対して略垂直に屈曲しており、ユーザがロック部材１１０をスライド操作する時に指をかけるための指かけ部１１６を形成している。
【００８６】
バッテリ２２をバッテリ収納部３０に挿入する場合、及びバッテリ収納部３０からバッテリ２２を取り出す場合には、指かけ部１１６に指先をかけて、ロック部材を符号１１０のバッテリ抜け止め防止位置から符号１１０´のバッテリ挿抜可能位置に移動させ、凹部３６を露呈させる。これにより、バッテリ２２の挿入及び取り出しが可能になる。
【００８７】
本実施形態によれば、ロック部材を板金で作成することにより、部品点数を減らすことができ、バッテリ収納ケース２４の作成コストを安く抑えることができる。
【００８８】
［第６の実施形態］
次に、本発明の第６の実施形態について説明する。なお、本実施形態に係るバッテリ収納ケース２４を備えた撮像装置１０（図１参照）の構成、バッテリ２２（図２参照）及びケース本体２６（図７参照）の形状については、上記第２の実施形態と同様であるため説明を省略する。
【００８９】
図１９は、本実施形態に係るバッテリ収納ケース２４にバッテリ２２を収納した状態を示す斜視図であり、図２０は、図１９から板バネ１３０を外した状態を示す斜視図である。図２１は、本実施形態に係るバッテリ収納ケース２４の断面図である。
【００９０】
図１９に示すように、ケース本体２６の図中右側には、ロック部材取付面４０が形成されており、ロック部材取付面４０にはロック部材取付開口７０が形成されている。ロック部材取付開口７０には、ロック部材１２０が挿入される。
【００９１】
ロック部材１２０は、バッテリ２２のバッテリ凸部２２ａをロックするための部材である。ロック部材１２０は、例えば、樹脂製の部材であり、金型を用いて作成される。
【００９２】
ロック部材１２０の図中下部には、ユーザがロック部材１２０をスライド操作する時に指をかけるための指かけ部１２２が形成されている。指かけ部１２２の裏面には、指かけ部１２２の裏面に略垂直に柱状部１２４が形成されている。図２０に示すように、柱状部１２４は、ロック部材取付開口７０に挿入され、シャフト１２８を介してケース本体２６側面の凸片１２６に取り付けられる。図２１（ｂ）に示すように、ロック部材１００は、バッテリ収納部３０の凹部３６の開口面を覆っており、矢印Ａ４０の方向にスライド可能になっている。
【００９３】
ケース本体２６側面には、板バネ１３０を取り付けるための板バネ取付部１３２が形成されている。柱状部１２４は、板バネ１３０によってケース本体２６側面に押しつけられる向きに付勢される。
【００９４】
バッテリ２２をバッテリ収納部３０に挿入する場合、及びバッテリ収納部３０からバッテリ２２を取り出す場合には、指かけ部１２２に指先をかけて符号１２２のバッテリ抜け止め防止位置から符号１２２´のバッテリ挿抜可能位置に移動させ、凹部３６を露呈させる。これにより、バッテリ２２の挿入及び取り出しが可能になる。
【００９５】
バッテリ２２の下端部からバッテリ凸部２２ａの下端部までの距離をｂ、ロック部材１２０のバッテリ２２のバッテリ凸部２２ａと当接する部分の厚さをＬ、ケース本体２６のロック部材取付面４０からケース蓋２８の内側の面２８ａ間の距離をｃとすると、ｃ＞ｂかつｃ＞Ｌであり、ケース蓋２８にバッテリ２２の図中下面２２ｂが接触しないように（負荷がかからないように）なっている。
【００９６】
本実施形態によれば、上記第１の実施形態と同様に、バッテリ２２の挿入方向の寸法をバッテリ２２の下端部からバッテリ凸部２２ａまでの距離をｂだけ小型化することができる。更に、本実施形態によれば、ロック部材１２０がケース本体２６側面にシャフト１２８により直接固定されているため、ロック部材１２０の位置が安定し、バッテリ２２を確実にロックすることができる。
【００９７】
［第７の実施形態］
次に、本発明の第７の実施形態について説明する。なお、本実施形態に係るバッテリ収納ケース２４を備えた撮像装置１０（図１参照）及びバッテリ２２（図２参照）の構成については、上記第２の実施形態と同様であるため説明を省略する。
【００９８】
図２２は、本実施形態に係るバッテリ収納ケース２４にバッテリ２２を収納した状態を示す斜視図であり、図２３は、本実施形態に係るバッテリ収納ケース２４の断面図である。
【００９９】
図２２及び図２３に示すように、本実施形態では、シャフト１２８に捩じりバネ１４０が取り付けられている。ロック部材１２０の柱状部１２４は、捩じりバネ１４０によってケース本体２６側面に押しつけられる向きに付勢される。
【０１００】
本実施形態においても、上記第６の実施形態と同様、ロック部材１２０の位置が安定し、バッテリ２２を確実にロックすることができる。更に、本実施形態によれば、捩じりバネ１４０を用いることにより、部品の費用が安くなる。
【０１０１】
なお、上記第４から第７の実施形態では、バッテリ２２の収納時にユーザが手動で凹部３６を露呈させるようにしたが、例えば、ロック部材のバッテリ収納部３０側の端部に傾斜面を形成して、バッテリ２２のバッテリ凸部２２ａを挿入する際のバッテリ凸部２２ａの押圧力により、手動で操作しなくても凹部３６が露呈するように構成してもよい。
【０１０２】
［第８の実施形態］
次に、本発明の第８の実施形態について説明する。なお、本実施形態に係るバッテリ収納ケース２４を備えた撮像装置１０（図１参照）及びバッテリ２２（図２参照）の構成については、上記第２の実施形態と同様であるため説明を省略する。
【０１０３】
図２４は、本実施形態に係るバッテリ収納ケース２４にバッテリ２２を収納した状態を示す斜視図であり、図２５は、本実施形態に係るバッテリ収納ケース２４の断面図である。
【０１０４】
図２４に示すように、ケース本体２６の図中右側には、ロック部材取付面４０が形成されており、ロック部材取付面４０にはロック部材取付開口７０が形成されている。ロック部材取付開口７０には、ロック部材１５０が取り付けられる。
【０１０５】
ロック部材１５０は、バッテリ２２のバッテリ凸部２２ａをロックするための部材であり、ロック部材本体１５２及び板バネ（クリックバネ）１５４を含んでいる。
【０１０６】
ロック部材本体１５２は、例えば、樹脂製の部材であり、金型を用いて作成される。ロック部材本体１５２の図中下部には、ユーザがロック部材１５０をスライド操作する時に指をかけるための指かけ部１５２ａが形成されている。指かけ部１５２ａの裏面には、指かけ部１５２ａの裏面に略垂直に柱状部１５２ｂが形成されている。図２５に示すように、柱状部１５２ｂは、ロック部材取付開口７０に挿入され、柱状部１５２ｂの図中上端にはクリックバネ１５４が取り付けられる。クリックバネ１５４は、例えば、ネジ止めにより柱状部１５２ｂに固定される。
【０１０７】
図２４及び図２５に示すように、ロック部材取付面４０には、２対のクリック溝１５６ａ及び１５６ｂが形成されている。クリックバネ１５４がクリック溝１５６ａに嵌合している場合には、凹部３６がロック部材１５０によって覆われ（ロックされ）、クリックバネ１５４がクリック溝１５６ｂに嵌合している場合には、凹部３６が露呈する。
【０１０８】
バッテリ２２をバッテリ収納部３０に挿入する場合、及びバッテリ収納部３０からバッテリ２２を取り出す場合には、ロック部材１５０の指かけ部１５２に指先をかけて、符号１５２のバッテリ抜け止め防止位置から符号１５２´のバッテリ挿抜可能位置に移動させ、凹部３６を露呈させる。これにより、バッテリ２２の挿入及び取り出しが可能になる。そして、バッテリ２２を収納後、ロック部材１５０をスライドさせてバッテリ２２をロックする。
【０１０９】
バッテリ２２の下端部からバッテリ凸部２２ａの下端部までの距離をｂ、ロック部材本体１５２のバッテリ２２のバッテリ凸部２２ａと当接する部分の厚さをＬ、ケース本体２６のロック部材取付面４０からケース蓋２８の内側の面２８ａ間の距離をｃとすると、ｃ＞ｂかつｃ＞Ｌであり、ケース蓋２８にバッテリ２２の図中下面２２ｂが接触しないように（負荷がかからないように）なっている。
【０１１０】
本実施形態によれば、上記第１の実施形態と同様に、バッテリ２２の挿入方向の寸法をバッテリ２２の下端部からバッテリ凸部２２ａまでの距離をｂだけ小型化することができる。更に、本実施形態によれば、クリック機構を用いてロック部材１５０のスライド動作を規制することにより、ロック部材１５０に誤って触れてしまうことによる誤動作を防止することができる。
【０１１１】
なお、本実施形態では、例えば、ロック部材本体１５２を板金で作成して薄型化することにより、バッテリ収納ケース１４を更に小型化することが可能である。
【図面の簡単な説明】
【０１１２】
【図１】本発明の第１の実施形態に係る収納ケースを備えた撮像装置の外観を示す斜視図
【図２】本発明の第１の実施形態に係るバッテリの外観を示す斜視図
【図３】本発明の第１の実施形態に係るバッテリの外観を示す平面図
【図４】本発明の第１の実施形態に係るケース本体２６の外観を示す斜視図
【図５】本発明の第１の実施形態に係るケース本体２６にバッテリを収納した状態を示す斜視図
【図６】本発明の第１の実施形態に係るバッテリ収納ケース２４の断面図
【図７】本発明の第２の実施形態に係るケース本体２６の外観を示す斜視図
【図８】本発明の第２の実施形態に係るバッテリ収納ケース２４にバッテリ２２を収納した状態を示す斜視図
【図９】本発明の第２の実施形態に係るバッテリ収納ケース２４の断面図
【図１０】本発明の第３の実施形態に係るバッテリ収納ケース２４にバッテリ２２を収納した状態を示す斜視図
【図１１】本発明の第３の実施形態に係るバッテリ収納ケース２４の断面図
【図１２】本発明の第４の実施形態に係るバッテリ収納ケース２４にバッテリ２２を収納した状態を示す斜視図
【図１３】本発明の第４の実施形態に係るバッテリ収納ケース２４にバッテリ２２を収納した状態を示す斜視図
【図１４】本発明の第４の実施形態に係るロック部材を拡大して示す斜視図
【図１５】本発明の第４の実施形態に係るバッテリ収納ケース２４の断面図
【図１６】本発明の第５の実施形態に係るバッテリ収納ケース２４にバッテリ２２を収納した状態を示す斜視図
【図１７】本発明の第５の実施形態に係るロック部材を拡大して示す斜視図
【図１８】本発明の第５の実施形態に係るバッテリ収納ケース２４の断面図
【図１９】本発明の第６の実施形態に係るバッテリ収納ケース２４にバッテリ２２を収納した状態を示す斜視図
【図２０】図１９から板バネ１３０を外した状態を示す斜視図
【図２１】本発明の第６の実施形態に係るバッテリ収納ケース２４の断面図
【図２２】本発明の第７の実施形態に係るバッテリ収納ケース２４にバッテリ２２を収納した状態を示す斜視図
【図２３】本発明の第７の実施形態に係るバッテリ収納ケース２４の断面図
【図２４】本発明の第８の実施形態に係るバッテリ収納ケース２４にバッテリ２２を収納した状態を示す斜視図
【図２５】本発明の第８の実施形態に係るバッテリ収納ケース２４の断面図
【符号の説明】
【０１１３】
１０…撮像装置、１２…レンズ鏡筒、１４…シャッタボタン、１６…ストラップ取付部、１８…三脚取付穴、２０…グリップ部、２２…バッテリ、２２ａ…バッテリ凸部、２４…バッテリ収納ケース、２６…ケース本体、２８…ケース蓋、４０…ロック部材取付面、４２…ロック部材、４４…ストッパ
【図１】
2009134888.tif 000003
【図２】
2009134888.tif 000004
【図３】
2009134888.tif 000005
【図４】
2009134888.tif 000006
【図５】
2009134888.tif 000007
【図６】
2009134888.tif 000008
【図７】
2009134888.tif 000009
【図８】
2009134888.tif 000010
【図９】
2009134888.tif 000011
【図１０】
2009134888.tif 000012
【図１１】
2009134888.tif 000013
【図１２】
2009134888.tif 000014
【図１３】
2009134888.tif 000015
【図１４】
2009134888.tif 000016
【図１５】
2009134888.tif 000017
【図１６】
2009134888.tif 000018
【図１７】
2009134888.tif 000019
【図１８】
2009134888.tif 000020
【図１９】
2009134888.tif 000021
【図２０】
2009134888.tif 000022
【図２１】
2009134888.tif 000023
【図２２】
2009134888.tif 000024
【図２３】
2009134888.tif 000025
【図２４】
2009134888.tif 000026
【図２５】
2009134888.tif 000027